(57)【特許請求の範囲】
【請求項１】
モータと、
前記モータにより駆動するハンマーと、
前記ハンマーにより打撃されるアンビルと、
前記ハンマーを収容し、テーパ部と先端部とを有し、前記アンビルが前方より突出するハンマーケースと、を有する打撃工具であって、
前記テーパ部の少なくとも一部を覆うカバーを設け、
前記カバーと係合し、前記先端部の少なくとも一部を覆うバンパを設けたことを特徴とする打撃工具。
【請求項２】
モータと、
前記モータにより駆動するハンマーと、
前記ハンマーにより打撃されるアンビルと、
前記ハンマーを収容し、テーパ部と先端部とを有し、前記アンビルが前方より突出するハンマーケースと、を有する打撃工具であって、
前記テーパ部の少なくとも一部を覆い、前方へ延びる突起部を有するカバーを設け、
前記先端部の少なくとも一部を覆うバンパを設け、
前記アンビルと垂直な面において、前記突起部が、前記バンパと前記ハンマーケースとの間に配置されることを特徴とする打撃工具。
【請求項３】
モータと、
前記モータにより駆動するハンマーと、
前記ハンマーにより打撃されるアンビルと、
前記ハンマーを収容し、テーパ部と先端部とを有し、前記アンビルが前方より突出するハンマーケースと、を有する打撃工具であって、
前記テーパ部の少なくとも一部を覆うカバーを設け、
前記先端部の少なくとも一部を覆うバンパを設け、
前記カバーに凹み部を設け、
前記バンパに突起部を設け、
前記凹み部に前記突起部を挿入したことを特徴とする打撃工具。
【請求項４】
モータと、
前記モータにより駆動するハンマーと、
前記ハンマーにより打撃されるアンビルと、
前記ハンマーを収容し、テーパ部と先端部とを有し、前記アンビルが前方より突出するハンマーケースと、を有する打撃工具であって、
前記テーパ部の少なくとも一部を覆うカバーを設け、
前記先端部の少なくとも一部を覆うバンパを設け、
前記バンパに凹み部を設け、
前記カバーに突起部を設け、
前記凹み部に前記突起部を挿入したことを特徴とする打撃工具。
【発明の詳細な説明】
【技術分野】
【０００１】
本発明は、インパクトドライバやインパクトレンチ等の打撃工具に関する。
【背景技術】
【０００２】
例えばインパクトドライバにおいては、モータを収容する合成樹脂製の本体ハウジングの前方に、打撃機構を収容する金属製の前ハウジング（例えばハンマーケース）を組み付けて、前ハウジングの先端から出力軸となるアンビルを突出させている。本体ハウジングから露出する前ハウジングの外周には、打撃動作によって温度上昇した前ハウジングに直接触れないように合成樹脂製のカバーが被着されると共に、そのカバーの前方に、ネジ止め作業等の際に前ハウジングが被加工材に直接当接しないようにゴム等の弾性材料からなるリング状のバンパが組み付けられている。このカバーとバンパとは、例えば特許文献１に開示のように、カバーを前ハウジングとなるハンマーケースに被せた状態で、バンパをハンマーケースの先端外周に係合させることで、バンパによってカバーを抜け止めする構造で組み付けられている。
【先行技術文献】
【特許文献】
【０００３】
【特許文献１】特開２００９−２２０２７２号公報
【発明の概要】
【発明が解決しようとする課題】
【０００４】
そこで、本発明は、カバーとバンパとを良好な組み付け性で、且つ高い信頼性で装着可能とする打撃工具を提供することを目的としたものである。
【課題を解決するための手段】
【０００５】
上記目的を達成するために、請求項１に記載の発明は、モータと、前記モータにより駆動するハンマーと、前記ハンマーにより打撃されるアンビルと、前記ハンマーを収容し、テーパ部と先端部とを有し、前記アンビルが前方より突出するハンマーケースと、を有する打撃工具であって、前記テーパ部の少なくとも一部を覆うカバーを設け、前記カバーと係合し、前記先端部の少なくとも一部を覆うバンパを設けたことを特徴とする。
請求項２に記載の発明は、モータと、前記モータにより駆動するハンマーと、前記ハンマーにより打撃されるアンビルと、前記ハンマーを収容し、テーパ部と先端部とを有し、前記アンビルが前方より突出するハンマーケースと、を有する打撃工具であって、前記テーパ部の少なくとも一部を覆い、前方へ延びる突起部を有するカバーを設け、前記先端部の少なくとも一部を覆うバンパを設け、前記アンビルと垂直な面において、前記突起部が、前記バンパと前記ハンマーケースとの間に配置されることを特徴とする。
請求項３に記載の発明は、モータと、前記モータにより駆動するハンマーと、前記ハンマーにより打撃されるアンビルと、前記ハンマーを収容し、テーパ部と先端部とを有し、前記アンビルが前方より突出するハンマーケースと、を有する打撃工具であって、前記テーパ部の少なくとも一部を覆うカバーを設け、前記先端部の少なくとも一部を覆うバンパを設け、前記カバーに凹み部を設け、前記バンパに突起部を設け、前記凹み部に前記突起部を挿入したことを特徴とする。
請求項４に記載の発明は、モータと、前記モータにより駆動するハンマーと、前記ハンマーにより打撃されるアンビルと、前記ハンマーを収容し、テーパ部と先端部とを有し、前記アンビルが前方より突出するハンマーケースと、を有する打撃工具であって、前記テーパ部の少なくとも一部を覆うカバーを設け、前記先端部の少なくとも一部を覆うバンパを設け、前記バンパに凹み部を設け、前記カバーに突起部を設け、前記凹み部に前記突起部を挿入したことを特徴とする。
【発明の効果】
【０００６】
本発明によれば、カバーとバンパとの組み付け性が良好となる。
【図面の簡単な説明】
【０００７】
【図１】インパクトドライバの正面図である。
【図２】Ａ−Ａ線断面図である。
【図３】Ｂ−Ｂ線断面図である。
【図４】ハンマーケース、カバー、パンパの分解斜視図である。
【図５】カバーの斜視図で、（Ａ）が前方から、（Ｂ）が後方から見た状態をそれぞれ示す。
【図６】カバー及びパンパの組み付け部分の一部拡大図で、（Ａ）が係止片部分、（Ｂ）がバンパ受け部の頂点部分、（Ｃ）がバンパ受け部の係止爪部分をそれぞれ示す。
【図７】バンパの斜視図で、（Ａ）が前方から、（Ｂ）が後方から見た状態をそれぞれ示す。
【図８】バンパを組み付けたカバーの斜視図で、（Ａ）が側面から、（Ｂ）が前方から見た状態を夫々示す。
【図９】バンパを省略したカバーの組み付け状態の斜視図である。
【発明を実施するための形態】
【０００８】
以下、本発明の実施の形態を図面に基づいて説明する。
図１〜３は、打撃工具の一例であるインパクトドライバの説明図で、インパクトドライバ１は、左右の半割ハウジング３，３を組み付けて形成され、モータ４を収容する合成樹脂製の本体ハウジング２と、その本体ハウジング２の前方（図２，３の左側）に組み付けられ、スピンドル７、打撃機構８、アンビル９を収容する前ハウジングとしての金属製のハンマーケース６とを備えてなる。本体ハウジング２の下方には、下端に電源となる図示しないバッテリーパックを装着したハンドル１０が下向きに延設され、ハンドル１０内の根元部分前方には、トリガー１１が設けられている。また、本体ハウジング２におけるハンマーケース６の下方でトリガー１１との間には、ハンマーケース６の下方部分を覆う延設部１２が形成され、延設部１２の内部前方には、アンビル９の前方へ向けたライトユニット１３が装着されている。
【０００９】
モータ４の出力軸５は、ハンマーケース６の後端開口を閉塞するギヤハウジング１４を貫通してハンマーケース６内に突出すると共に、先端にピニオン１５が嵌着されて、スピンドル７の後方外周に保持される２つの遊星歯車１６，１６と噛合している。スピンドル７の後端は、ハンマーケース６の軸心において、ギヤハウジング１４に保持されるボールベアリング１７に軸支されている。
また、ハンマーケース６内でアンビル９の後端には、一対のアーム１８，１８が放射状に延設されている。打撃機構８は、スピンドル７の前端に外装され、アーム１８，１８に係合するハンマー１９と、そのハンマー１９をアーム１８，１８に係合する前進位置へ付勢するコイルバネ２０とを備えている。ハンマー１９は、その内周面に凹設された山形溝と、スピンドル７の外周面に凹設されたＶ字溝とに跨って嵌合するボール２１，２１を介してスピンドル７と連結されている。
【００１０】
一方、打撃工具８の出力軸となるアンビル９は、ハンマーケース６の前端に形成された前後方向に等径な先端部２２内で軸受２３によって中間部が軸支され、後面軸心に形成した軸受孔２４に、スピンドル７の前端に突設した小径部２５を嵌合させて、スピンドル７の前端を同軸で軸支している。
また、ハンマーケース６から突出するアンビル９の前端には、ビットの装着孔２６が形成されると共に、装着孔２６に挿入されたビットを抜け止め装着するボール２７及びスリーブ２８等を備えたチャック機構が設けられている。
【００１１】
そして、ハンマーケース６は、後方部分が本体ハウジング２に挿入されてギヤハウジング１４にねじ込み結合される筒状体で、本体ハウジング２から露出する前方部分は、図４にも示すように、前方先細りのテーパ部２９となって、テーパ部２９の前端面には、テーパ部２９の前端径よりも小さい正面視正六角形の段部３０が形成されて、その段部３０の前面に先端部２２が同軸で突設されている。また、先端部２２の後端外周で段部３０の前方には、被係止部としての凹溝３１が周設されている。
【００１２】
一方、ハンマーケース６において、本体ハウジング２から露出する前方部分は、カバー３２とバンパ３３とで覆われている。まずカバー３２は、合成樹脂製の筒体で、図４，５に示すように、ハンマーケース６のテーパ部２９に合わせた前方先細りのテーパ状に形成されており、後端縁は、ハンマーケース６の後方部分を覆う本体ハウジング２の前端縁に合わせた形状となっている。さらに、カバー３２の前端縁には、軸心側へ突出してテーパ部２９の前端に係止するリング状のフランジ３４が形成されて、そのフランジ３４の内周縁に、軸心を中心とした点対称位置で左右一対となる係止片３５，３５と、その係止片３５，３５と９０°位相をずらせた点対称位置で上下一対となるバンパ受け部３６，３６とが延設されている。
【００１３】
このうち第１の係止部となる係止片３５，３５は、テーパ部２９の前端面から段部３０の側面にかけてハンマーケース６の外面に沿って形成され、前端には、図６（Ａ）にも示すように、軸心側へ折曲して先端部２２の凹溝３１に係止する爪３７がそれぞれ形成されている。
また、バンパ受け部３６，３６も、図６（Ｂ）にも示すように、テーパ部２９の前面から段部３０の隣り合う２つの側面に掛けてハンマーケース６の外面に沿って形成されて、正面視山形状を呈し、山形の左右の外面には、同図（Ｃ）に示す如く、フランジ３４の半径方向外側へ向けて突出する第２の係止部としての一対の係止爪３８，３８が形成されている。
【００１４】
次に、バンパ３３は、カバー３２に隣接して係止片３５及びバンパ受け部３６に外装されるゴム製のリング体で、外周面は、カバー３２の外面と連続状となる前方先細りのテーパ状に形成されている。バンパ３３の内周面には、図７にも示すように、係止片３５，３５の外面形状に合わせた左右一対の横溝部３９，３９と、バンパ受け部３６，３６の外面形状に合わせた上下一対の縦溝部４０，４０とがそれぞれ凹設されており、このうち縦溝部４０には、バンパ受け部３６が縦溝部４０に嵌合する状態で係止爪３８，３８が係止する被係止部としての一対の係止凹部４１，４１がそれぞれ形成されている。
【００１５】
以上の如く構成されたインパクトドライバ１においては、本体ハウジング２に、スピンドル７や打撃機構８、アンビル９等を収容したハンマーケース６を組み付けた後、カバー３２及びバンパ３３を組み付けることになるが、ここではまずバンパ３３をカバー３２の係止片３５及びバンパ受け部３６に、それぞれ横溝部３９を係止片３５に、縦溝部４０をバンパ受け部３６に合わせた状態で外装させる。すると、バンパ受け部３６の係止爪３８，３８が縦溝部４０の係止凹部４１，４１に係止して、図８に示すように、バンパ３３はカバー３２の前端に隣接して組み付けられる。
【００１６】
この状態でカバー３２を、ハンマーケース６の段部３０の上下にバンパ受け部３６，３６の位置を合わせ、ハンマーケース６の前方から、アンビル９及び先端部２２をバンパ３３ごと貫通させてハンマーケース６に被せて、フランジ３４がテーパ部２９の前端に当接するまで後退させる。すると、バンパ３３を省略して示す図９に示すように、バンパ受け部３６，３６が段部３０の上下に嵌合すると共に、カバー３２の左右の係止片３５，３５の爪３７がそれぞれ先端部２２の凹溝３１に係止して、カバー３２はバンパ３３ごとハンマーケース６に装着される。
【００１７】
この装着状態では、上下のバンパ受け部３６，３６による段部３０への嵌合によって回り止めがなされ、係止片３５，３５の爪３７，３７による凹溝３１への係止によって抜け止めがなされるため、カバー３２が偶発的に外れることはない。また、バンパ３３はカバー３２のテーパ部２９の外面よりも軸心側へ位置する係止片３５及びバンパ受け部３６に外装されるため、バンパ３３の外面はテーパ部２９の外面から突出することがなく、連続状に繋がる。なお、カバー３２の後端縁は装着状態で本体ハウジング２の前端縁と合致してハンマーケース６の露出を防止している。
【００１８】
そして、インパクトドライバ１の使用の際には、ハンドル１０に設けたトリガー１１を操作してモータ４を駆動させると、出力軸５の回転が遊星歯車１６，１６を介してスピンドル７に伝わり、スピンドル７を回転させる。スピンドル７は、ボール２１，２１を介してハンマー１９を回転させ、ハンマー１９が係合するアンビル９を回転させるため、アンビル９の先端に装着したビットによってネジ締め等が可能となる。
【００１９】
ネジ締めが進んでアンビル９のトルクが高まると、ハンマー１９の回転とスピンドル７の回転とにずれが生じるため、ハンマー１９は、ボール２１がＶ字溝に沿って転動することで、スピンドル７に対して相対的に回転しながらコイルバネ２０の付勢に抗して後退する。そして、ハンマー１９がアーム１８，１８から外れると、ハンマー１９はコイルバネ２０の付勢により、ボール２１がＶ字溝の先端に向けて転動することで回転しながら前進する。よって、ハンマー１９が再びアーム１８，１８に係合して回転打撃力（インパクト）を発生させる。このアンビル９への係脱を繰り返すことで増し締めが行われる。
【００２０】
このインパクトの発生に伴い打撃機構８等で熱が発生し、金属製のハンマーケース６の温度が上昇することがあっても、カバー３２により作業者が直接ハンマーケース６に触れることがないため、熱による不快感を与えることがない。また、ハンマーケース６の前面は、図１，２に示すように先端部２２の外側がバンパ３３に覆われることになるため、ネジ締め等の際にビットがネジ頭から外れてハンマーケース６の前面が被加工材に当接するようなことがあっても、バンパ３３によって衝撃が吸収され、被加工材を傷つけるおそれも少なくなる。
【００２１】
このように、上記形態のインパクトドライバ１によれば、カバー３２に、ハンマーケース６の外周に設けた凹溝３１に係止し、ハンマーケース６への装着状態でカバー３２を抜け止め保持する係止片３５を設ける一方、カバー３２の前端に、バンパ３３が外装可能なバンパ受け部３６を延設して、バンパ受け部３６に、バンパ３３の外装状態でバンパ３３の内周に設けた係止凹部４１に係止してバンパ３３を抜け止め保持する係止爪３８を設けて、バンパ３３をバンパ受け部３６に組み付けた状態でカバー３２をハンマーケース６に組み付けたことで、ハンマーケース６に対してバンパ３３ごとカバー３２が組付け可能となり、カバー３２とバンパ３３との組み付け性が良好となる。また、組み付け状態でカバー３２はハンマーケース６から抜け止め保持されるため、装着時の信頼性も高くなる。
【００２２】
特にここでは、係止片３５を、カバー３２の前端でカバー３２の軸心を中心とした点対称位置に一対設けると共に、バンパ受け部３６を、係止片３５と位相をずらせてカバー３２の軸心を中心とした点対称位置に一対設けたことで、バンパ受け部３６に加えて係止片３５も利用してバンパ３３の外装が可能となり、組み付け状態でバンパ３３の安定が図られる。
また、ハンマーケース６の被係止部を、ハンマーケース６に周設された凹溝３１とし、第１の係止部を、ハンマーケース６の外面に沿って形成され、先端に設けた爪３７が凹溝３１に係止する係止片３５としたことで、被係止部及び第１の係止部が簡単に形成可能となると共に、ハンマーケース６におけるカバー３２の抜け止め保持も確実になされる。
【００２３】
なお、被係止部や第１、第２の係止部、バンパ受け部等の形態は上記内容のものに限らない。例えば被係止部は凹溝をリング状でなく周方向へ所定長さで形成される溝としたり、溝でなく突条に代えたりすることができる。また、第１の係止部も、係止片の幅を広くしたり、係止片を３つ以上設けたり、前方への長さを短くしてカバーの前端際に設けたり等して差し支えない。さらに、バンパ受け部も、段部がないハンマーケースでは山形状でなく円弧状としたり、これも３つ以上設けたりしてもよいし、第２の係止部も、バンパ側の被係止部の形状に合わせて数や形態は適宜変更できる。加えて、上記形態では第１の係止部となる係止片とバンパ受け部とを別々に設けているが、両者を周方向へ連続形成したり、第１の係止部とバンパ受け部とを兼用して、バンパ受け部にハンマーケースの外周に係止する爪を設けたりしてもよい。
【００２４】
一方、前ハウジングの形態も、先端部が等径とならずに外面全体がテーパ状に形成されるものであったり、後方がテーパ部でなく、先端部より大径の等径部となる二段径の筒体であったりしても、本発明の適用は可能である。勿論打撃工具もインパクトドライバに限らず、インパクトレンチ等の他の種類にも適用できる。特に、ハンマーを用いた打撃機構を有するタイプに限らず、オイルユニットを用いた打撃機構を有するタイプであっても、本発明のカバー及びバンパの組み付け形態は採用可能である。
【符号の説明】
【００２５】
１・・インパクトドライバ、２・・本体ハウジング、３・・半割ハウジング、４・・モータ、５・・出力軸、６・・ハンマーケース、７・・スピンドル、８・・打撃機構、９・・アンビル、１８・・アーム、１９・・ハンマー、２０・・コイルバネ、２２・・先端部、２９・・テーパ部、３１・・凹溝、３２・・カバー、３３・・バンパ、３４・・フランジ、３５・・係止片、３６・・バンパ受け部、３７・・爪、３８・・係止爪、３９・・横溝部、４０・・縦溝部、４１・・係止凹部。
【図１】
0005507726.tif 000002
【図２】
0005507726.tif 000003
【図３】
0005507726.tif 000004
【図４】
0005507726.tif 000005
【図５】
0005507726.tif 000006
【図６】
0005507726.tif 000007
【図７】
0005507726.tif 000008
【図８】
0005507726.tif 000009
【図９】
0005507726.tif 000010